(57)【要約】    【課題】  所定の開放角度にドアを固定でき、構造が簡単で、かつ部品点数が少なくて、安価に提供できて操作も容易なドアクローザー装置を提供する。    【解決手段】  ドアストップ機構を備えたドアクローザー装置は、ドアクローザーＤＣと鎖錠体８を具備している。ドアクローザーＤＣは、そのアーム３とリンク４のそれぞれの中間部に係止部６、６が形成されている。鎖錠体８は、その両端側に少なくとも一対の互いに離間した係合部７、７を有している。この鎖錠体の一方の係合部をドアクローザーのアームの係止部に着脱可能に係合し、他方の係合部をドアクローザーのリンクの係止部に着脱可能に係合して、ドアクローザーのアーム、リンクおよび鎖錠体により三角形を形成して相互間の動きを鎖錠することにより、ドア１を所定の開放角に固定する。【選択図】図１
2014218775.tif 000002
【特許請求の範囲】
【請求項１】
回動軸を有し、ドアに配設されるドアクローザー本体、基端部がドアクローザー本体の回動軸に固定され、中間部に係止部を形成したアーム、および先端部がアームの先端部に回動自在に枢着され、中間部に係止部を形成し、基端部がドア枠側に回動自在に枢着されるリンクを備えたドアクローザーと；
両端側に少なくとも互いに離間した一対の係合部を有し、その一方の係合部がドアクローザーのアームの係止部に着脱可能に係合し、他方の係合部がドアクローザーのリンクの係止部に着脱可能に係合して、ドアクローザーのアームおよびリンク間の動きを鎖錠することにより、ドアを所定の開放角に維持する鎖錠体と；
を具備していることを特徴とするドアストップ機構を備えたドアクローザー装置。
【発明の詳細な説明】
【技術分野】
【０００１】
本発明は、ドアを所望の開放角位置に保持可能なドアクローザー装置に関する。
【背景技術】
【０００２】
ドアを所望の開放角位置に保持可能なドアクローザー装置は既知である。その主な例を以下簡単に説明する。第１の例は、回動軸を有するドアクローザー本体と、上記回動軸に一端が固定されたアームと、このアームの他端に一端が枢着されたリンクとを具備したドアクローザーに、ストップバーと一端に止め具を有するスライド片を備えたスライドレールとを付加したドアクローザーのストップ装置である（特許文献１参照。）。このストップ装置は、上記ストップバーの一端がアームおよびリンクの枢着部と一緒に枢着され、上記スライドレールがドアの枠部に長手方向が平行になるように固定され、ストップバーの他端がスライド片に枢着されている。そうして、ドアの開閉動作に対応してストップバーによってスライド片がスライドレール内をスライドするので、ドアが所望の開放角度位置のときに、スライド片を止め具でスライドレールに対して固定することにより、設定された開放角にドアが固定される。
【０００３】
第２の例は、ドアクローザー本体の回動軸をアクローザー本体の下面側へも延長して、下側の回動軸にブレーキドラムを連結固定し、一方ブレーキドラムに接離可能なブレーキシューをレバーに取り付け、操作カムをドアの所望開放角度位置のときに操作することにより、上記レバーを介してブレーキシューをブレーキドラムに圧接してドアを固定するようにしたドアストッパーである（特許文献２参照。）。
【０００４】
第３の例は、ドア枠に取り付けたブラケットとリンクの他端との間を回動可能にする枢着部に回動角可変のクラッチ機構を組み込んだドアクローザのストップ装置である（特許文献３参照。）。このストップ装置は、ブラケットの下面にセレーション軸を固定し、このセレーション軸にリンクおよびカム板を上下に移動可能に嵌め込み、セレーション軸に取り付けたダイヤルを押し上げて回動することにより、カム板がリンクとともに上側へ移動してセレーション軸にセレーション結合し、所望のドア開放角度においてリンクがカム板に係合したときにドアがそれ以上開放されなくなる。
【先行技術文献】
【特許文献】
【０００５】
【特許文献１】特開２０１１−１９６１６２号公報
【特許文献２】特開２００８−２６６９８５号公報
【特許文献３】特開２００３−１９３７４２号公報
【発明の概要】
【発明が解決しようとする課題】
【０００６】
第１の従来技術は、スライドレールおよびストップバーをドアクローザーに付加するので、部品点数が多くなって構造が複雑であり、コストアップになるかりでなく、スライドレールを所定の位置に取り付けるドアクローザー取り付け時の手間と、ストップバーの固定のためにスライド片を、止め具をスライドレールに締め付けることにより、固定する使用時の手間とを要するので、使い勝手が悪いという問題がある。
【０００７】
第２の従来技術は、ドアクローザー本体の回動軸を同本体の下側まで延長するために、特別構造のドアクローザー本体が必要になるとともに、ブレーキドラムに加えて、ブレーキシュー、レバー、操作カムおよびこれらを取り付ける取り付け板が必要であり、部品点数が多くなってコストアップを招くばかりでなく、外観が阻害されるという問題がある。
【０００８】
第３の従来技術は、外観的にはストップ装置の存在を感じさせにくいが、ストップ装置の構造が複雑で部品点数が多くなるので、コストアップを招くという問題がある。
【０００９】
本発明は、所定の開放角度にドアを固定でき、構造が簡単で、かつ部品点数が少なくて、安価に提供できて操作も容易なドアストップ機構を備えたドアクローザー装置を提供することを目的とする。
【課題を解決するための手段】
【００１０】
上記の課題を解決するために、本発明のドアストップ機構を備えたドアクローザー装置は、ドアクローザーと鎖錠体を具備している。ドアクローザーは、そのアームとリンクのそれぞれの中間部に係止部が形成されている。鎖錠体は、両端側に少なくとも一対の互いに離間した係合部を有している。この鎖錠体の一方の係合部をドアクローザーのアームの係止部に着脱可能に係合させ、他方の係合部をドアクローザーのリンクの係止部に着脱可能に係合して、ドアクローザーのアームおよびリンク間の動きを鎖錠することにより、ドアを所定の開放角に維持する。
【発明の効果】
【００１１】
本発明のドアストップ機構を備えたドアクローザー装置は、ドアクローザーのアームとリンクに係止部を形成し、かつ係合部を有する鎖錠体を追加することによって構成できるので、構造が簡単で部品点数の増加が僅かでありながら、操作が容易で、しかも信頼性の高い鎖錠作用が得られる効果を奏する。
【図面の簡単な説明】
【００１２】
【図１】本発明のドアストップ機構を備えたドアクローザー装置の第１の実施形態に係る使用状態を示す要部斜視図である。
【図２】同じくドアクローザーのアームとリンクの係止部を示す要部斜視図である。
【図３】同じく鎖錠体の斜視図である。
【図４】同じく鎖錠体とアームおよびリンクとの係合状態を示す要部斜視図である。
【図５】本発明のドアストップ機構を備えたドアクローザー装置の第２の実施形態に係わる要部を示す断面図である。
【図６】本発明のドアストップ機構を備えたドアクローザー装置の第３の実施形態に係わる鎖錠体装着補助具の使用状態を示す要部斜視図である。
【発明を実施するための形態】
【００１３】
以下、本発明の実施の形態について、詳細に説明する。
【００１４】
図１は、本発明のドアストップ機構を備えたドアクローザー装置の第１の実施形態に係る装置全体の使用状態を示している。図において、ドア１は、ドア枠２に開閉自在に装着されている。ドア枠２は、例えば玄関などドア１を配設する家屋の開口部に嵌め込まれ、かつ固着している。ドア１は、通常の使用状態において、ドア枠２に対して開放した後、ドアクローザーＤＣによって自動的に閉止される。本発明において、ドアストップ機構を備えたドアクローザー装置は、上記ドアクローザーＤＣのアーム３およびリンク４に係止部６、６が形成されているのに加えて、後述する鎖錠体８を具備している。
【００１５】
ドアクローザーＤＣは、ドアクローザー本体５、アーム３、リンク４およびブラケット１０からなる既知の構造を具備している。ドアクローザー本体５は、ドア１背面のヒンジ側上部に固定される。また、ドアクローザー本体５の上面から図示していない回動軸が突出している。なお、下端９がドアクローザー本体５の下面に露出している。しかし、所望によりカバーにより露出しないようにしてもよい。上記回動軸は、ドアクローザー本体５内部に収納されているばねにより予めドアの閉止用の回動力が付与されている。アーム３は、その基端部が回動軸に固定されている。リンク４は、その基端部が後述するブラケットＢに枢着され、先端部が上記アーム３の先端部に枢着されている。ブラケットＢは、ドア枠２の上部に固定される。
【００１６】
したがって、ドア１のノブ（図示しない。）を押してドア１を開放すると、リンク４およびアーム３を経由してドアクローザー本体５の回動軸が回動され、内部のばねが偏倚されてその駆動力が増大するので、ノブから手を離すと、ドアクローザー本体５によりドア１は自動的に閉止動作を行う。
【００１７】
また、ドアクローザーＤＣは、図２に示すように、本発明において、アーム３およびリンク４の中間部に係止部６、６を形成している。図示の実施形態において、係止部６、６は、例えば透孔からなる。なお、係止部６が透孔からなる場合、透孔がアーム３およびリンク４の中間部の幅方向に偏ってその一部がアーム３またはリンク４の側面に開口している不完全な透孔であってもよい。したがって、アーム３およびリンク４の中間部に係止部６、６は、後述する鎖錠体８の係合部７との係合が不所望に外れることがない程度であれば種々の形態であることが許容される。
【００１８】
また、アーム３およびリンク４の中間部の係止部６は、図示しないが、アーム３およびリンク４の長手方向に沿って互いに離間して形成された複数によって構成されていてもよい。この場合、複数の係止部６のうち所望の係合部を選択して後述する鎖錠バー８を係合することにより、それぞれ異なったドア開放角が選べる。複数の開放角にはドア１の閉止状態や寸開状態など所望の状態を含むように構成することが可能である。
【００１９】
アーム３およびリンク４の少なくとも中間部は、これを図２に示すように偏平にすることにより、係止部６の形成に都合がよい。しかし、係止部６は、本発明において、透孔の態様により形成することが必須条件ではないので、他の態様、例えば、突起や係合溝などの形態を採用することが許容される。この場合には、上記中間部が丸ないし角棒状をなしていることも許容される。
【００２０】
鎖錠体８は、図３に示すように、両端側に少なくとも互いに離間した一対の係合部７、７を有している。この係合部７は、本実施形態において、突起状をなしていて、図４に示すように、アーム３およびリンク４の係止部６に挿入されて係合する。これにより、アーム３およびリンク４の開き角度が鎖錠体８によって固定される。すなわち、鎖錠体８の一方の係合部７は、ドアクローザーＤＣのアーム３の係止部６に着脱可能に係合する。他方の係合部７は、ドアクローザーＤＣのリンク４の係止部６に着脱可能に係合する。その結果、ドアクローザーＤＣのアーム３およびリンク４と鎖錠体８とが２つの係合部とアーム３およびリンク４の枢着部とを角とする三角形を形成するので、ドアクローザーＤＣのアーム３、したがってドア１の動きすなわち開放および閉鎖動作が鎖錠される。これにより、ドア１が所定の開放角に維持される。
【００２１】
次に、ドア１を所望の開放角に固定する手順について説明する。最初に、ドア１を所望の開放角まで開放する。その開放状態を維持し、次に鎖錠体８を持ち上げて、その一方の係合部７をドアクローザーＤＣのアーム３の係止部６に、他方の係合部７をリンク４の係止部６に、それぞれ落とし込んで係合させれば、ドア１は所定の開放角に自動的に固定される。
【００２２】
ドア１を元の閉止状態に戻すには、落とし込んだ鎖錠体８をドアクローザーＤＣのアーム３およびリンク４から持ち上げて、係合部７、７の係止部６、６との係合状態を解除すればよい。そうすれば、ドア１は、ドアクローザー本体５の回動動力によって自動的に閉止位置に戻る。すなわち、ドア１は閉止される。
【００２３】
図５を参照して本発明のドアストップ機構を備えたドアクローザー装置の第２の実施形態について説明する。本実施形態は、鎖錠体８を不使用時にもドアクローザーＤＣに保持しておくことが可能なように構成している。すなわち、鎖錠体８の一方の係合部７´を他方よりいくらか長く形成して、リンク４の下面から下方へ突出する部位の側面に貫通孔１０を形成し、そこに割りピン１１を装着している。
【００２４】
上記一方の係合部７´は、常時リンク４の係止部６に係合している常時係合部として機能する。したがって、一方の係合部７´の突出長は、対応するリンク４の係止部６との係合状態を維持しながら他方の係合部７と対応するアーム３の係止部６との係合およびその解除を行える程度であればよい。
【００２５】
図示の実施形態においては、常時リンク４の係止部６に係合している常時係合部に割りピン１１を装着して上記係合の不所望な脱落を防止しているが、所望によりこれに代えて、Ｃ形ワッシャを係合部７´に装着してもよい。この場合、貫通孔１０に代えて縮径部を形成し、この縮径部にＣ形ワッシャを装着する。
【００２６】
そうして、第２の実施形態によれば、アーム３より上側に位置するリンク４に鎖錠体８の不使用時であっても、鎖錠体８を常時支持させておくことにより、ドア１を半開放状態にしたいときには、別の場所に離しておいた鎖錠体８を探したり、所定の収納場所から取り出してきたりするなどの煩わしさがなく、速やかに鎖錠体８をリンク４およびアーム３の間に装着することができる。
【００２７】
図６を参照して本発明のドアストップ機構を備えたドアクローザー装置の第３の実施形態について説明する。本実施形態は、鎖錠体装着補助具１２を具備している。鎖錠体装着補助具１２を使用することにより、図１に示すドアクローザーＤＣのリンク４およびアーム３の上に床上からの操作で鎖錠体８を持ち上げて、その係合部７、７を係止部６、６に落とし込んで係合させるのが容易に行える。
【００２８】
鎖錠体装着補助具１２は、持ち上げ棒１３の上部に鎖錠体支承部１４を備えている。鎖錠体支承部１４は、鎖錠体８の長さ方向の中間部を下から支承し、ドアクローザーＤＣのリンク４およびアーム３の係止部６、６に鎖錠体８の係合部７、７を上から落とし込むのを補助する。この際、鎖錠体８が不所望に脱落しないように鎖錠体支承部１４の両側に脱落防止用突起１５を配設すると好都合である。
【００２９】
そうして、ドア１を所定の開放角に一時的に保持し、鎖錠体装着補助具１２の鎖錠体支承部１４の上に鎖錠体８の略中央部を載せて鎖錠体装着補助具１２を持ち上げ、ドアクローザーＤＣのリンク４およびアーム３の係止部６、６に鎖錠体８の係合部７、７を上から落とし込む。これにより、ドア１は、鎖錠状態となり、所定の開放角に維持される。したがって、ドアクローザーＤＣのリンク４およびアーム３の位置に手が届かなくても容易に鎖錠体８を係合させることができる。
【００３０】
第４の実施形態について説明する。この実施形態は、鎖錠体８に代えてチェーンまたはロープのような柔軟にして、かつ強度の高い素材で形成されたドアロック部材の両端をアーム３およびリンク４の係止部６、６に係止することができる。なお、所望により上記構成に加えて、鎖錠体８の係合部７、７を上記係止部６、６に係合させることができるように構成することもできる。
【００３１】
本実施形態によれば、従来ドアクローザーとは別に設備するドアチェーンを使用したドアロックと同様の機能を奏することができる。
【符号の説明】
【００３２】
１…ドア、２…ドア枠、３…アーム、４…リンク、５…ドアクローザー本体、６…係止部、７…係合部、８…鎖錠体、９…回動軸の下端、Ｂ…ブラケット、ＤＣ…ドアクローザー
【図１】
2014218775.tif 000003
【図２】
2014218775.tif 000004
【図３】
2014218775.tif 000005
【図４】
2014218775.tif 000006
【図５】
2014218775.tif 000007
【図６】
2014218775.tif 000008